(57)【特許請求の範囲】
【請求項１】
第１の端部及び第２の端部を有する上側部材と、
前記上側部材の第１の端部に接続された少なくとも１つの第１の脚部と、
前記上側部材の第２の端部に接続された少なくとも１つの第２の脚部と、
第１の縁部と、前記第１の縁部に対向する第２の縁部とを有する可曲な本体であって、前記本体の第１の縁部に近接し且つ前記本体の第２の縁部に近接した前記上側部材に接続されて、前記上側部材の下側にパウチ又はチャネルを規定する可曲な本体と、
前記上側部材に取り付けられた複数の幕スクリーンコネクタであって、各幕スクリーンコネクタは、前記幕スクリーンコネクタの本体から離れる第１の方向に延びる第１の突起と、前記幕スクリーンコネクタの本体から離れる第２の方向に延びる第２の突起とを有しており、前記第２の方向は前記第１の方向の反対であり、前記複数の幕スクリーンコネクタは、前記複数の幕スクリーンコネクタの第１及び第２の突起が前記上側部材の下側に配置されるように、前記上側部材の底部に規定された下側下向き開口内で前記上側部材に取り付けられている、複数の幕スクリーンコネクタと、
を備えており、
前記可曲な本体は、前記第１の縁部に近接する複数の孔と、前記第２の縁部に近接する複数の孔とを有しており、
前記第１の突起は、前記第１の縁部に近接する孔を通って、前記上側部材に前記第１の縁部が近接するように前記可曲な本体を接続し、前記第２の突起は、前記第２の縁部に近接する孔を通って、前記上側部材に前記第２の縁部が近接するように前記可曲な本体を接続する、
プライバシースクリーン装置。
【請求項２】
前記本体は、前記第１の縁部から前記第２の縁部まで延びる前記本体の第１の外面と、前記第１の縁部から前記第２の縁部まで延びる前記本体の第２の内面とを有しており、前記第２の内面は、前記パウチ又はチャネルを規定する、請求項１に記載のプライバシースクリーン装置。
【請求項３】
少なくとも１つのコードが、前記パウチ又はチャネル内に配置可能である、請求項１に記載のプライバシースクリーン装置。
【請求項４】
前記上側部材は少なくとも１つのアウトレットを有する、請求項３に記載のプライバシースクリーン装置。
【請求項５】
前記少なくとも１つのアウトレットは、壁アウトレットに接続可能であって、前記壁アウトレットからの電流を受け取って、前記上側部材のアウトレットに接続された電子機器に電力を供給する、請求項４に記載のプライバシースクリーン装置。
【請求項６】
前記第１の脚部の下端部は、床接触要素に取り付けられており、前記第２の脚部の下端部は、床接触要素に取り付けられている、請求項５に記載のプライバシースクリーン装置。
【請求項７】
各床接触要素はグライド又はキャスタから構成されている、請求項６に記載のプライバシースクリーン装置。
【請求項８】
前記可曲な本体は、離間した複数の窪みセクションと離間した複数のピローセクションとを有する発泡体からなり、前記ピローセクションは前記窪みセクションよりも厚い、請求項５に記載のプライバシースクリーン装置。
【請求項９】
前記可曲な本体が、前記発泡体の外面に取り付けられたフィルム又は布地カバーを有する、請求項８に記載のプライバシースクリーン装置。
【請求項１０】
前記本体が前記可曲な本体の第１の縁部と第２の縁部とに近接した前記上側部材に接続される場合、前記可曲な本体は、Ｕ字状、Ｃ字状、又はＶ字状となる、請求項８に記載のプライバシースクリーン装置。
【請求項１１】
複数の第１のリング要素であって、前記複数の第１のリング要素の各々は、前記第１の縁部に近接した前記可曲な本体の複数の孔の１つに個別に配置されて、その第１のリング要素が配置されている孔の周囲を規定する前記可曲な本体の一部を覆って、その第１のリング要素が配置されている孔の付近で前記可曲な本体を補強する、複数の第１のリング要素と、
複数の第２のリング要素であって、前記複数の第２のリング要素の各々は、前記第２の縁部に近接した前記可曲な本体の複数の孔の１つに個別に配置されて、その第２のリング要素が配置されている孔の周囲を規定する前記可曲な本体の一部を覆って、その第２のリング要素が配置されている孔の付近で前記可曲な本体を補強する、複数の第２のリング要素と、
を備えており、
前記幕スクリーンコネクタは、前記上側部材の第１の端部と第２の端部の間で前記上側部材に取り付けられる、請求項１に記載のプライバシースクリーン装置。
【請求項１２】
前記第１のリング要素は円形又は多角形の環状体であり、前記第２のリング要素は円形又は多角形の環状体である、請求項１１に記載のプライバシースクリーン装置。
【請求項１３】
前記上側部材の第１の端部は、脚部コネクタに接続され、前記脚部コネクタは、前記少なくとも１つの第１の脚部を前記上側部材の第１の端部に取り付ける、請求項１に記載のプライバシースクリーン装置。
【請求項１４】
前記上側部材の第２の端部は、前記上側部材の第２の端部に前記第２の脚部を接続するための上側部材間コネクタ装置に接続されている、請求項１３に記載のプライバシースクリーン装置。
【請求項１５】
プライバシースクリーン装置であって、
第１の端部及び第２の端部を有する上側部材と、
前記上側部材の第１の端部に接続された少なくとも１つの第１の脚部と、
前記上側部材の第２の端部に接続された少なくとも１つの第２の脚部と、
第１の縁部と、前記第１の縁部に対向する第２の縁部とを有する可曲な本体であって、前記本体の第１の縁部に近接し且つ前記本体の第２の縁部に近接した前記上側部材に接続されて、前記上側部材の下側にパウチ又はチャネルを規定する可曲な本体と、
を備えており、
前記上側部材の第１の端部は脚部コネクタに接続されており、前記脚部コネクタは、前記少なくとも１つの第１の脚部を前記上側部材の第１の端部に取り付けており、
前記上側部材の第２の端部は、前記上側部材の第２の端部に前記少なくとも１つの第２の脚部を接続するための上側部材間コネクタ装置に接続されており、
前記上側部材は第１の上側部材であって、前記プライバシースクリーン装置は、第２の上側部材を更に備えており、
前記上側部材間コネクタ装置は、前記第１の上側部材の第２の端部に近接した前記第１の上側部材の下向き開口に配置され、且つ、前記第２の上側部材の第１の端部に近接した前記第２の上側部材の下向き開口内にあって、前記第１の上側部材と前記第２の上側部材とを互いに接続し、前記少なくとも１つの第２の脚部を前記第２の上側部材の第１の端部に接続し、
前記プライバシースクリーン装置は、前記第１の上側部材の底部に規定された下側下向き開口内で前記上側部材に取り付けられている複数の幕スクリーンコネクタを備えており、各幕スクリーンコネクタは、その幕スクリーンコネクタの本体から離れる第１の方向に延びて、前記可曲な本体の第１の縁部に近接する孔を通る第１の突起と、その幕スクリーンコネクタの本体から離れる第２の方向に延びて、前記可曲な本体の第２の縁部に近接する孔を通るように配置される第２の突起とを有しており、前記第２の方向は前記第１の方向の反対であり、
前記複数の幕スクリーンコネクタは、前記複数の幕スクリーンコネクタの第１及び第２の突起が前記第１の上側部材の下側に配置されるように前記第１の上側部材に取り付けられている、プライバシースクリーン装置。
【請求項１６】
前記第１の上側部材は少なくとも１つのアウトレットを有しており、前記第２の上側部材は少なくとも１つのアウトレットを有しており、少なくとも１つのコードが、前記パウチ又はチャネル内に配置可能である、請求項１５に記載のプライバシースクリーン装置。
【請求項１７】
前記可曲な本体は、離間した複数の窪みセクションと離間した複数のピローセクションとを有する発泡体からなり、前記ピローセクションは前記窪みセクションよりも厚い、請求項１５に記載のプライバシースクリーン装置。
【請求項１８】
前記可曲な本体が、前記発泡体の外面に取り付けられたフィルム又は布地カバーを有する、請求項１７に記載のプライバシースクリーン装置。
【請求項１９】
前記本体が前記可曲な本体の第１の縁部と第２の縁部とに近接した前記第１の上側部材に接続される場合、前記可曲な本体は、Ｕ字状、Ｃ字状、又はＶ字状となる、請求項１５に記載のプライバシースクリーン装置。
【発明の詳細な説明】
【技術分野】
【０００１】
［関連出願の相互参照］
本願は、２０１６年５月１５日に出願された米国特許出願第１５／１５５，１７８号及び２０１５年６月１日に出願された米国仮特許出願第６２／１６９，１１１号の優先権を主張するものである。
【０００２】
本発明は、プライバシースクリーン装置のような什器と、データケーブル及び電源ケーブルを介した電力及びデータの供給を容易にするように構成された什器とに関している。
【背景技術】
【０００３】
プライバシースクリーンは、職場環境やその他の環境において可視障壁を提供するために利用することができる。プライバシースクリーンの例は、Ｉｃｅｂｅｒｇ  ＯｆｆｉｃｅＷｏｒｋｓ  Ｔｅａｍｉｎｇ  Ｔａｂｌｅ  Ｍｏｄｅｓｔｙ  Ｐｏｕｃｈ、「ＩＫＥＡ  ＳＩＧＮＵＭ  Ｓｅｒｉｅｓ  Ｃｈｅａｐｌｙ  Ｍａｎａｇｅｓ  Ｙｏｕｒ  Ｃａｂｌｅｓ」と称するｌｉｆｅｈａｃｋｅｒ．ｃｏｍなるウェブサイトで公開されたドキュメント、米国特許第８，３６５，７９８号、第７，７８９，０２５号、第６，８９６，０２８号、第６，１９２，８０５号、第５，９６６，８７９号、第５，６７５，９４６号、第５，６８０，８９３号、及び第５，２８７，９０９号と、米国意匠特許第Ｄ６５３，８６２号、第Ｄ４５８，０４０号、第Ｄ４５７，３５９、及び第Ｄ４２７，７８３と、米国特許出願公開第２０１２／０３０４４４１号及び第２００３／０６６９３６号と、独国特許第ＤＥ２９７１８６９５号とから理解できる。プライバシースクリーンは一般的に、可視障壁を提供する。更に、プライバシースクリーンは、構造物に取り付けられた後で容易に動かすことができない。
【発明の概要】
【０００４】
プライバシースクリーン装置が提供される。幾つかの実施形態では、プライバシースクリーン装置は、移動自在に構成されてよい。プライバシースクリーン装置の幾つかの実施形態はまた、可搬式の電源アウトレット及び／又はデータ管理ケーブル（例えば、イーサネット（登録商標）ケーブル、電気通信配線、電気通信ケーブル、電気伝送ケーブル、電気伝送配線、電源コード、コンピュータ装置関連配線、その他のデータケーブル又は配線など）を提供するように構成された配電装置を含むことができる。
【０００５】
第１の端部及び第２の端部を有する上側部材と、上側部材の第１の端部に接続された少なくとも１つの第１の脚部と、上側部材の第２の端部に接続された少なくとも１つの第２の脚部とを含むプライバシースクリーン装置が提供される。可曲な本体は、本体の第１の縁部に近接し且つ本体の第２の縁部に近接して上側部材に接続されて、上側部材の下側にパウチ又はチャネルを規定してよい。本体の第２の縁部は、本体の第１の縁部の反対側にあってもよい。
【０００６】
幾つかの実施形態では、本体は、第１の縁部から第２の縁部まで延びる第１の外面と、第１の縁部から第２の縁部まで延びる第２の内面とを有してよい。第２の内面は、パウチ又はチャネルの内壁を規定してよい。コード、ケーブル、及び配線の少なくとも１つは、ポーチ又はチャネル内に配置可能であってよい。
【０００７】
上側部材は、複数の形態を有してよい。例えば、上側部材は、多角形、楕円形又は他の種類の断面形状を有するビーム、レール、又は他の部材であってもよい。幾つかの実施形態では、上側部材は、電源又は電力源に接続可能な少なくとも１つのアウトレットを有してよい。例えば、少なくとも１つのアウトレットは、壁のアウトレットに接続可能であって、壁のアウトレットから電流を受け取って、上側部材のアウトレットに接続された電子機器に電力を供給する。幾つかの実施形態では、各アウトレットは、各アウトレットを電源に接続するために建物の壁又は床の出口に挿入可能なプラグに接続されてよい。
【０００８】
第１の脚部及び第２の脚部は、複数の異なる形態を有することができる。幾つかの実施形態では、第１の脚部の下端部は、床接触要素に取り付けられてよく、第２の脚部の下端部は、床接触要素に取り付けられてよい。各床接触要素は、グライド又はキャスタから構成されてよい。
【０００９】
可曲な本体は、多くの形態を有することができる。幾つかの実施形態では、可曲な本体は、離間した複数の窪みセクションと、窪みセクションよりも厚く、離間した複数のピローセクションとを有する発泡体で構成されてよい。ピローセクションはまた、窪みセクションよりも広くてよい。窪みセクション及びピローセクションの長さは、同じであってよく、又は実質的に同じであってよい（例えば、同じ値の１０％以内、同じ値の５％以内など）。幾つかの実施形態では、曲げ可能な本体は、発泡体の外面に取り付けられたフィルム又は布地カバーを有してよい。カバーは、本体の外面及び／又は内面を覆ってよい。
【００１０】
可曲な本体は、異なる複数の形状へと曲げることができる。例えば、可曲な本体は、可曲な本体の第１の端部と第２の端部に近接するように、上側部材に接続される場合に、略Ｕ字状、Ｃ字状、又はＶ字状になるように曲げることができる。
【００１１】
プライバシースクリーン装置の実施形態は、上側部材に取り付けられた複数の幕スクリーンコネクタを含んでよい。各幕スクリーンコネクタは、幕スクリーンコネクタの本体から離れる第１の方向に延びる第１の突起と、幕スクリーンコネクタの本体から離れる第２の方向に延びる第２の突起とを有してよい。第２の方向は、第１の方向の反対であってよい。幾つかの実施形態では、幕スクリーンコネクタは、上側部材の底部に規定された下向き開口内にて上側部材の下部に取り付けられてもよい。
【００１２】
可曲な本体は、幕スクリーンコネクタと動作可能に接続するように構成できる。例えば、可曲な本体は、第１の縁部に近接する複数の孔と、第２の縁部に近接する複数の孔とを有してよい。孔は、可曲な本体の本体内に規定されてよい。第１の突起は、第１の縁部に近接する孔を通って、可曲な本体を第１の縁部に近接するように上側部材に接続でき、第２の突起は、第２の縁部に近接する孔を通って、可曲な本体を第２の縁部に近接するように上側部材に接続できる。幾つかの実施形態では、可曲な本体の孔にリングを設けて、突起が本体の孔を通過する際にリングの孔を通過するようにしてよい。リングは、本体にかぶさるように本体に配置されてよい。リングは、可曲な本体の第１の端部及び第２の端部に近接して本体に規定された孔に対応する形状を有するグロメット又は環状のリング（例えば、環状の円形部材、環状の多角形の部材など）などのリング要素であってよい。例えば、プライバシースクリーン装置の実施形態は、複数の第１のリング要素であって、それら第１のリング要素の各々は、可曲な本体における第１の端部に近接した孔の個々の１つに配置される複数の第１のリング要素と、複数の第２のリング要素であって、それら第２のリング要素の各々は、可曲な本体における第２の端部に近接した孔の個々の１つに配置される複数の第２のリング要素とを含んでいてよい。第１のリング要素は、円形又は多角形の形状を有する環状体であってよく、第２のリング要素は、円形又は多角形の形状を有する環状体であってよい。
【００１３】
上側部材の第１の端部は、脚部コネクタに接続されてよい。脚部コネクタは、少なくとも１つの第１の脚部を上側部材の第１の端部に取り付けるように構成されてよい。上側部材の第２の端部は、少なくとも１つの第２の脚部を上側部材の第２の端部に取り付けるために脚部コネクタに接続されてよい。或いは、上側部材の第２の端部は、上側部材の第２の端部に第２の脚部を接続するために、上側部材間コネクタ装置に接続されてよい。上側部材間コネクタは、第１の上側部材の第２の端部に近接して、第１の上側部材の下向きの開口に配置されてよく、また、第２の上側部材の第１の端部に近接して、第２の上側部材の下向き開口内にあって、第１の上側部材と第２の上側部材を接続してよい。
【００１４】
本発明の他の詳細、目的及び利点は、特定の例示的な実施形態及びそれらを実施する特定の例示的な方法に関する以下の説明が進むにつれて、明らかになるであろう。
【図面の簡単な説明】
【００１５】
プライバシースクリーン装置の例示的な実施形態が添付の図面に示されており、それらを作製して実施する特定の例示的な方法もそれら図面に示されている。図面で使用される同じ参照番号は、同じ構成要素を指すことを理解されたい。
【図１】図１は、相互接続された複数のプライバシースクリーン装置の第１の実施形態の斜視図であって、可撓性本体要素は、装置に取り付けられていない。
【図２】図２は、プライバシースクリーン装置の単一の第１の例示的実施形態の分解図である。
【図３】図３は、可撓性本体要素が装置に取り付けられたプライバシースクリーン装置の第１の例示的な実施形態の斜視図である。
【図４】図４は、プライバシースクリーン装置の第１の例示的実施形態の拡大部分図であって、可撓性本体要素が装置に取り付けられている。
【図５】図５は、プライバシースクリーン装置の第１の例示的実施形態の斜視図であって、可撓性本体要素の第１の側は装置に接続されておらず、可撓性本体要素の第２の側は装置に接続されている。
【図６】図６は、プライバシースクリーン装置の第１の例示的実施形態の斜視図であって、可撓性本体要素の第１の側は装置に接続されておらず、可撓性本体要素の第２の側は装置に接続されている。
【発明を実施するための形態】
【００１６】
図１乃至図６を参照すると、プライバシースクリーン装置１は、上側部材５を支持するベース３を含んでよい。上側部材５は、脚部の異なる組の間に延びる細長い部材として構成されてよい。幾つかの実施形態では、上側部材５は、その第１の端部５ａから第２の端部５ｂまで延びるビーム、レール、ロッド、又は他のタイプの細長い部材として構成されてよい。ベースは、第１の端部５ａに取り付け可能な第１の脚部４ａの第１の組と、第２の端部５ｂに取り付け可能な第２の脚部４ｂの第２の組とを含んでよい。ある実施形態では、上側部材５は、プライバシースクリーン装置１の頂部を画定する上側部材として構成されてよい。他の実施形態では、別の要素が上側部材５に接続されて、上側部材５の上方に延びてよい。
【００１７】
脚部コネクタ１５は、第１の脚部４ａの第１の組と、第２の脚部４ｂの第２の組とを上側部材５に取り付けるために、上側部材５の第１の端部５ａ及び第２の端部５ｂに取り付けされてよい。脚部の下端部は、床接触要素４ｃに接続されてよく、床接触要素４ｃは、グライド、車輪付きキャスタ、又は他のタイプの床接触要素であってよい。プライバシースクリーン装置のそのような実施形態は、主として単一の上側部材５によって規定される長さＬと、主に脚部によって規定される高さＨとを有してもよい。その最大幅における上側部材５の幅Ｗ（その深さ又は厚さも考慮されてよい）は、主として上側部材５の幅Ｗを規定する。プライバシースクリーン装置の幅は、上側部材５の幅Ｗによって規定されてよく、又は、その第１の脚部４ａ及び第２の組の脚部４ｂの終端間の間隔によって規定される幅ＷＬを基礎とする、プライバシースクリーン装置が占める床の面積に基づく幅と考えられてよい。
【００１８】
他の実施形態では、第１の上側部材５の第１の端部５ａは、脚部コネクタ１５を含んでよく、第２の端部５ｂは、第２の上側部材５に取り付けられて、複数の上側部材５を含むより長いプライバシースクリーン装置１が形成されてよい。このような実施形態の場合、第１の上側部材５は、上側部材間コネクタ１７によって第２の上側部材５に接続されてもよい。上側部材間コネクタ１７は、ブラケット又は他のタイプのコネクタを含んでよく、当該コネクタは、例えば、少なくとも１つの脚部（例えば、たった一つの脚部、或いは、例えば一対の脚部のような複数の脚部）を取り付けるように構成された上側部材５の下向き開口５ｃ内に配置される。例えば、上側部材間コネクタ１７は、１又は複数のファスナを介して上側部材５を連結するために、第１の上側部材５の第２の端部５ｂと第２の上側部材５の第１の端部５ａとの間において開口５ｃに配置されてもよい。上側部材間コネクタ１７は、第２の上側部材５の第１の端部５ａと第１の上側部材５の第２の端部５ｂを支持するため下方に延びる一対の脚部に接続するように配置されてよく、これらの脚部は、互いに対して角度θで下方に延びている。脚部は、ファスナ又は他のタイプの締結機構を介して接続されてよく、又は、上側部材間コネクタ１７のブラケット又は他の要素と一体化されて形成されてよい。上側部材間コネクタ１７に接続された各脚部の上側端部は、第１の上側部材の第２の端部５ｂと第２の上側部材の第１の端部５ａとの間にて、第１及び第２の上側部材の下向き開口５ｃの内側に位置してよい。
【００１９】
少なくとも１つの上側部材間コネクタ１７を利用するそのような実施形態の場合、第２の上側部材５は、その第２の端部に取り付けられた脚部コネクタ１５を有してよく、第１及び第２の上側部材の合計長さと等しい又は実質的に等しい（例えば、全長の５％以内又は１０％以内）長さＬを有するプライバシースクリーン装置を規定する。更に別の実施形態では、第２の上側部材５の第２の端部５ｂは、第３の上側部材の第１の端部５ａに接続するための別の上側部材間コネクタ１７に接続されてよく、第３の上側部材は、脚部コネクタ１５に接続されるか、第４の上側部材に接続するための更に別の上側部材間コネクタ１７に接続されてよい。上側部材間コネクタ１７を介して互いに接続される上側部材の数は、形成されたプライバシースクリーン装置の長さを実質的に規定してよい。このような装置の終端には、プライバシースクリーン装置の終端に脚部を取り付けるための脚部コネクタ１５が取り付けられている。このような実施形態のための脚部コネクタ１５は、プライバシースクリーン装置の終端にて、上側部材に付けるエンドキャップとして構成されてもよい。
【００２０】
第１の脚部４ａの第１の組は、互いに対して角度θで上側部材５から下方に延びる一対の脚部を含んでよく、第２の脚部４ｂの第２の組は、互いに対して角度θで上側部材５から下方に延びる一対の脚部を含んでよい。幾つかの実施形態では、角度θは、脚部が上側部材から延び、上側部材及び脚部が「木挽き台（saw horse）」型構造の外観を提供するように設定されてよい。例えば、幾つかの実施形態では、角度θは、１０°乃至６５°、２０°乃至６０°、２５°乃至５０°、３０°乃至４５°又は３０°乃至４０°であってよい。３組以上の脚部を有するような複数の上側部材を利用する実施形態では、脚部の各組は、互いに対してθの角度で上側部材から下方に延びる一対の脚部を含んでよい。
【００２１】
上側部材５は、導電性配線又はケーブルの引き回しを容易にするように構成されてよく、電気アウトレット７及び／又はデータ接続アウトレット（例えば、データジャック、イーサネットケーブルジャックなど）を含んでよい。幾つかの実施形態では、ユニバーサルシリアルバス（ＵＳＢ）ジャックを、アウトレット７の少なくとも１つとして規定してよく、装置の電源へとの接続、並びに／或いは、別の電気デバイス（例えば、ルータ又はアクセスポイント）及び／又はデータネットワークへの接続を容易にするように構成されている。電源からアウトレット７への電気伝達のための配線は、下向き開口５ｃの上にある上側部材に規定された内側チャネルを通って延びてよい。内側チャネルは、下向き開口５ｃから完全に閉じられてよく、又はこの開口を介してアクセス可能であってよい。幾つかの実施形態では、配線の終端は、上側部材から延出してよく、壁のアウトレットに取り付けられるプラグを含んでおり、壁のアウトレットを介してアウトレット７が電力源に接続される。
【００２２】
幾つかの実施形態では、垂直に延びる送込み導管が、上側部材５に接続されてよい。送込み導管は、導管の長さ全体に亘って規定された少なくとも１つのチャネルを有してよく、当該チャネルに配線を通して上側部材５の配線に接続することができる。例えば、電力線、データ伝送ケーブル、及び音声通信伝送ケーブルが、送込み導管を通って、上側部材内の配線に接続されてよい。幾つかの実施形態では、送込み導管は、少なくとも１つの締結機構（例えば、コネクタ、ファスナ、ブラケット及びファスナの組合せなど）を介して、上側部材５の下向き開口部５ｃに近接して、又はその内側にて上側部材５に接続されてよく、上側部材から、上側部材を支持する床又は床の近くまで下方に延びてよい。送込み導管は、壁のアウトレット及び／又はデータジャックに近接した位置、又は、床にある床のアウトレット及び／又は電源ジャックに近接した位置へと、完全に垂直に、又はある角度で延びてよい。
【００２３】
他の実施形態では、上側部材は、バッテリ又は他の電源を収納するか、又は、それに取り付けられてよいと考えられる。バッテリを有する実施形態では、バッテリは、少なくとも１つの太陽電池を介して再充電可能であってもよく、或いは、電力系統に接続された建物の壁アウトレットのような電源に、充電接続（例えば、バッテリと壁アウトレットの間を接続するプラグを有する有線接続）を介して接続されることによって、再充電可能であってよい。
【００２４】
上側部材５は、複数の幕スクリーンコネクタ（modesty screen connector）９に接続されてよい。各幕スクリーンコネクタ９は、下向き開口５ｃ内に配置されるように構成されてよく、１又は複数のファスナ（例えば、ボルト、ねじなど）或いは他のタイプの締結機構（例えば、開口５ｃ内に形成された上側部材の形状と係合又は結合するように構成された形状、接着、溶接など）を介して上側部材に接続される。各幕スクリーンコネクタ９は、複数の突起を含んでよい。突起は、幕スクリーンコネクタの本体から第１の方向に離れるように延びる第１の突起９ａと、幕スクリーンコネクタ９の本体から第１の方向とは反対の第２の方向に延びる第２の突起９ｂとを含んでよい。幾つかの実施形態では、対向する１対の突起は、幕スクリーンコネクタ９の本体の開口を通過し得る単一のロッド又は他の部材によって規定されてよく、その対向する端部は、本体の両側に配置されて、本体から離れた位置に配置されて、本体から離間される。他の実施形態では、突起は、幕スクリーンコネクタ９の本体に一体的に形成された部分であってよい。突起は、フック、歯又は他のタイプの突起として構成されてよい。各突起の遠位端（例えば、終端部）は、幕スクリーンの一部を受け入れて保持するような形状にされてよく（例えば、上方に延びる保持形状など）、当該一部は、突起が貫通してよい。
【００２５】
幕スクリーン２１は、上側部材５に接続され、上側部材から床の付近へと下方に垂下するように構成されている。考えられ得る大抵の実施形態では、上側部材５から垂れ下がるであろう幕スクリーン２１の下部は、少なくとも数センチメートルの隙間によって床から離間しており、床に接触しなくてよい。しかし、他の実施形態では、幕スクリーン２１は、床に接触するか、又は床にほぼ接触するように、上側部材から垂れ下がってよいと考えられる。幕スクリーン２１は、幕スクリーンコネクタ９を介して上側部材５に接続されてよい。
【００２６】
幕スクリーン２１は、エチレン酢酸ビニル（ＥＶＡ）及びポリエチレン（ＰＥ）発泡体（例えば、ＥＶＡ＋ＰＥ発泡体）、又はその他の種類の発泡体から構成された本体２２ａであってよく、本体２２ａは、そのポリエチレン発泡体の外側全体にある、又は、ポリエチレン発泡体の外面のかなりの部分に存在する（例えば、外面の７０％以上、外面の８０％以上、又は、外面の９０％以上を覆う）カバー２２ｂを有してよい。他の実施形態では、本体２２ａは、ポリエチレン発泡体又はその他の種類の発泡体から構成されてよく、布地カバー２２ｂ、フィルムカバー２２ｂ、又はその他の種類のカバー２２ｂを有しており、当該カバーは、発泡体の外面の全体に又は発泡体の外面のかなりの部分に配置されてよい。更に他の実施形態では、本体２２ａは、カバー２２ｂを有さなくてよく、及び／又は別の種類の材料で構成されてよい。例えば、幾つかの実施形態では、本体２２ａは、例えば、熱可塑性ポリエステルエラストマー、熱可塑性コポリエステルエラストマー（ＴＰＣ−ＥＴ）、ポリエーテル−エステルブロック共重合体、スチレンブロックコポリマー（ＴＰＥ−ｓ）、ポリオレフィンブレンド（ＴＰＥ−ｏ）、エラストマー合金（ＴＰＥ−ｖ又はＴＰＶ）、熱可塑性ポリウレタン（ＴＰＵ）、熱可塑性コポリエステル、又は熱可塑性ポリアミドのような熱可塑性エラストマー（ＴＰＥ）で構成されるか、別のタイプのエラストマー材料で構成されてよい。例えば、本体は、Ｅ．Ｉ．Ｄｕ  Ｐｏｎｔ  ｄｅ  Ｎｅｍｏｕｒｓ  ａｎｄ  Ｃｏｍｐａｎｙ及び／又はその関連会社によってＨｙｔｒｅｌのブランド名で販売されている熱可塑性コポリエステルエラストマーから構成されてよい。
【００２７】
本体２２ａは、長さＬＭ、幅ＷＭ及び厚さＴを有してよい。本体２２ａは、より幅の広い、より剛性の高いピロー（pillow）セクションよりも薄くて、より幅の狭い窪みセクションのような、異なる厚さを有するセクションを含むように構成されてよい。ピローセクション及び窪みセクションは、本体２２ａの全長ＬＭに沿って延びてよく、及び／又は本体２２ａの長さＬＭの実質的な部分（例えば、長さＬＭの８０％、長さＬＭの９０％、長さＬＭの９５％など）に沿って延びるように規定されてよい。
【００２８】
本体２２ａの厚さＴは、本体２２ａの長さＬＭ及び幅ＷＭにわたって変化してもよい。本体がその長さＬＭ及び幅ＷＭに沿って延びるにつれて、可変の厚さは、本体の離散的なセクションに沿って変化してよい。例えば、本体２２ａのピローセクション２１ａは、本体２２ａの窪みセクション２１ｂよりも厚くてよく、本体２２ａの窪みセクション２１ｂよりも堅くてよい。各ピローセクション２１ａの厚さは、均一な厚さであってよく、各窪みセクション２１ｂの厚さは、均一な厚さであってよい。幾つかの実施形態では、各窪みセクション２１ｂの第１の側にて、第１の辺を画定する第１のピローセクション２１ａの側面によって、リップが規定されてよく、各窪みセクション２１ｂの第２の側にて、窪みセクション２１ｂの第２の側に位置する第１のピローセクション２１ａの直ぐ近くにある第２のピローセクション２１ａによって、リップが規定されてよい。これらのリップは、窪みセクション２１ｂと、窪みセクション２１ｂを画定するピローセクション２１ａとの間の境界領域を規定してよい。幾つかの実施形態では、リップは直線状に延びてよく、又は曲線の周囲を延びるように構成されてよい。
【００２９】
ピローセクション２１ａ及び窪みセクション２１ｂは、本体２２ａの第１の外面２２ｃと、反対側の第２の内面２２ｄとに画定されてよい。第１の外面２２ｃ及び第２の内面２２ｄは、第１の縁部２１ｆと、第１の縁部２１ｆの反対側にある第２の縁部２１ｇとの間に広がってよい。本体２２ａの幅ＷＭは、第１の縁部２１ｆから第２の縁部２１ｇへと延びてよい。第１の外面２２ｃ及び第２の内面２２ｄはまた、本体２２ａの両側で第１の縁部２１ｆから第２の縁部２１ｇまで延びる第３の縁部２１ｋ及び第４の縁部２１ｊによって規定されてよい。本体は、その長さＬＭに沿って、第３の縁部２１ｋと第４の縁部２１ｊの間に延びてよい。
【００３０】
本体２２ａは、間隔をあけて配置された複数の窪みセクション２１ｂが存在するように構成されてよく、各窪みセクション２１ｂは、例えば、隣り合うピローセクション２１ａの間に画定された例えば、トレンチ、溝、しわ（furrow）、チャネルのような細長い窪み、又は他のタイプの窪みを含んでよい。隣り合うピローセクション２１ａは、窪みセクション２１ｂの個々の一つによって互いに離間してよい。
【００３１】
ピローセクション２１ａは、窪みが形成された窪みセクション２１ｂよりも厚い、本体２２ａの領域又はセクションであってよい。各ピローセクション２１ａの幅ＷＰは、各窪みセクション２１ｂの幅ＷＲより大きくてもよく、各ピローセクション２１ａの長さは、各窪みセクション２１ｂの長さと同じ又は実質的に同じ（例えば、ピローセクションの長さの１０％以内、ピローセクションの長さの５％以内、ピローセクションの長さに等しいなど）であってよい。ピローセクション２１ａの厚さは、本体２２ａの窪みセクション２１ｂの厚さよりも厚くてよい。
【００３２】
窪みセクション２１ｂは、本体２２ａに可撓性を与えるように規定されてよい。例えば、規定された窪みセクション２１ｂは、ピローセクション２１ａよりも薄く、本体２２ａを湾曲可能としており、あるいは、本体が窪みセクション２１ｂの１又は複数の長さの周りで曲がるようにユーザによって構成可能にされている。より堅いピローセクション２１ａは、曲がらないか、窪みセクション２１ｂよりも曲がらなくてよく、可曲な本体２２ａの曲がりは、本体２２ａに規定された窪みセクション２１ｂによって主に提供される。本体２２ａの可屈曲性（bendability）により、本体２２ａを複数の異なる形態に移行させて、幕スクリーン２１を上側部材５に取り付け、幕スクリーン２１を上側部材５から取り外すことができる。
【００３３】
本体２２ａは、第１の縁部２１ｆ及び第２の縁部２１ｇに近接する複数の孔２１ｃを画定するように構成されてよい。孔２１ｃは、幕スクリーンコネクタ９の突起が延出して幕スクリーンコネクタ９に取り付けできる位置に対応するように互いに離間してよい。グロメット、Ｏリング、又は他のタイプのリング要素２３は、孔２１ｃに配置され、各孔を画定する本体部分を覆って、本体２２ａに補強をもたらしてよい。リング要素２３は、幕スクリーンコネクタ９への本体２２ａの接続を容易にするように構成された環状の物体であってよい。孔２１ｃ及びリング要素は、円形であるように構成されてよく、又は楕円形又は多角形（例えば、六角形、八角形、三角形など）のような他の形状を有してよい。リング要素は、孔２１ｃの形状に対応する形状である環状本体（例えば環状の円形、楕円形、三角形、菱形、正方形、六角形など）を有するリングであってもよい。各リング要素の本体は、幕スクリーンコネクタの突起が通過できる内側開口を規定してよい。
【００３４】
幾つかの実施形態では、第１の突起９ａ及び第２の突起９ｂは、磁気要素を含んでおり、当該磁気要素は、リング要素２３の磁気要素を引き付けるように又はリング要素２３の磁気要素に引き付けられるように構成されてよい。他の実施形態では、このような磁気要素は存在せず、突起の終端は、リング要素２３及び孔２１ｃを通過する形状又は大きさにされてよく、リング要素２３及び本体２２ａの一部を保持するために、本体２２ａの一部及び／又はリング要素２３に係合するように構成されてよい。図４は、突起のそのような一例の拡大図であって、当該突起は、貫通孔２１ｃ及びリング要素２３を貫通しており、本体２２ａの一部が保持されて、幕スクリーンコネクタ９の突起を介して本体２２ａが上側部材５に取り付けられている。
【００３５】
幕スクリーン２１の本体２２ａの第１の縁部２１ｆ及び第２の縁部２１ｇを幕スクリーンコネクタ９の第１の突起９ａ及び第２の突起９ｂに取り付けて幕スクリーンを上側部材５に接続する場合、本体２２ａは、本体２２ａの中央領域であり得る中点２３ｅにおいて、窪みセクションの少なくとも１つで曲がるように構成されてよい。例えば、第２の縁部２１ｇは、リング要素２３を有する貫通孔２１ｃに、第２方向に突出する第２の突起９ｂを通すことによって、第２の突起９ｂに接続されてもよい。故に、本体２２ａは、本体２２ａの幅ＷＭの中間点である中点領域２１ｅで曲げられて、第１の突起９ａが第１の縁部２１ｆに近接する孔２１ｃに位置する孔２１ｃ及びリング要素２３を通過することで、第１の縁部２１ｆが幕スクリーンコネクタ９の第１の突起９ａに接続されてよい。第１の縁部２１ｆ及び第２の縁部２１ｇを保持して、本体２２ａを維持するために、第１及び第２の突起の遠位端は、リング要素２３及び／又は本体２２ａの一部に接触又は係合する形状を有してよい。本体２２ａは、第１及び第２の端部が上側部材５の底部に近接するように、幕スクリーンコネクタの突起によって保持されてよい。例えば、上側部材５に吊り下げるための幕スクリーンコネクタ９に接続された場合に、第１の縁部２１ｆ及び第２の縁部２１ｇと上側部材５の底部との間に比較的小さな隙間のみが存在してよく、第１の縁部２１ｆ及び第２の縁部２１ｇは、引っ張られて上側部材５の底部と接触することで隙間がなくてよく、上側部材５の底部の一部を覆うように構成されてよく、又は、上側部材５の下向きの開口５ｃに入るように構成されてよい。本体２２ａの第１の縁部２１ｆ及び第２の２１ｇが第１の突起９ａ及び第２の突起９ｂに接続されると、本体２２ａは、本体が「Ｕ」、「Ｃ」、又は「Ｖ」のように構成又は方向付けられるように形作られてよい。
【００３６】
幕スクリーン２１は、プライバシースクリーン装置の近くで働いている作業者にプライバシーを提供するための可視障壁を提供するように構成できる。作業者は、コンピュータ装置又は他の電子機器を使用してよく、それらは、プライバシースクリーン装置１のアウトレット７に接続されて電力を供給することができるので、その人が仕事に関連する作業を行うために使用する機器に給電することができる。
【００３７】
幕スクリーン２１は折り曲られて、本体２２ａの内面２２ｄが、パウチ（pouch）又は他のタイプのチャネル２５を画定し、このチャネルは、第３の縁部２１ｋによって規定されるチャネル２５の第１の側２９から、第４の縁部２１ｊによって規定される第２の側２７まで延びてよい。データ管理ケーブル、延長コード、電源コード、イーサネットコード、データ通信コード、音声通信コード、又は他のタイプのコード、ケーブル又は配線のような電気伝導性ケーブル、或いはその他の種類のコード又は配線は、パウチ又は他のタイプのチャネル２５の内側に配置されてよく、パウチ又は他のタイプのチャネル２５は、幕スクリーン２１が第１の縁部２１ｆ及び第２の縁部２１ｇに近接した幕スクリーンコネクタ９に孔２１ｃを介して取り付けられる場合に幕スクリーン２１の本体２２ａによって規定されて、これらの端部によって本体２２ａに画定される。このようなケーブル、コード、又は他のタイプの配線は、パウチ又は他のタイプのチャネル２５の底部に置かれてよい。当該底部は、幕スクリーン２１を上側部材５に接続する間にて本体２２ａが曲げられる又は折られる本体２２ａの中点領域２１ｅと、中間点から上側部材５付近へと延びる、中間点の両側にある本体の部分とで、規定される。
【００３８】
プライバシースクリーン装置の実施形態は、可搬式のプライバシースクリーンを提供することができ、当該プライバシースクリーンは、ケーブル、コード、及び／又は配線が通る一方で視界から実質的に隠れるような、目に見える魅力的な構造を提供することができる。例えば、床接触要素がキャスタである場合、プライバシースクリーン装置１を床に沿って所望の場所に転動し、次いで、プラグをアウトレット７に電力を供給するためのアウトレットに接続し、そして、データ管理ケーブル及び／また他の配線、ケーブル及び／又はコードを受け取って、パウチ又は他のチャネル２５内に隠すように配置してよい。床接触要素４ｃがグライドである場合には、プライバシースクリーン装置は床に沿って所望の場所にスライドされてよい。上側部材５及び脚部を用いて設けられた可搬式の電源アウトレット７は、幕スクリーン２１によって提供されるプライバシーバリアと、チャネル２５を介してケーブル、コード及び／又は配線を通す能力とを伴っており、複数のユーザ装置の電源供給をも提供する可動式プライバシースクリーン装置を提供することができる。特定の作業領域は、異なる用途又は所望の床レイアウトに対応するように容易に変更された構造又はレイアウトを有することができ、パウチ又は他のチャネル２５を介して配線又は他のケーブルは視界から覆われる。このような可搬式プライバシースクリーン装置は、床のレイアウト構成のための魅力的な要素と、異なるタイプのコード又は配線（例えば、電源コード及びデータコード）を利用することができる機構を提供する。床のレイアウトの異なる領域においてユーザのための電源・データ管理は、アウトレット７を介して容易に行うことができ、データ管理コード又はケーブルは、パウチ又は他のチャネル２５通すことができるので、様々なユーザに電源とデータを供給するのに用いられるコード、ケーブル又は配線は、ユーザの視界から実質的に隠される。
【００３９】
プライバシースクリーン装置１の変更は、特定の設計基準の組を満たすように行うことができることを理解すべきである。例えば、本体２２ａの大きさ、形状及び重量並びに上側部材５の長さ、幅及び深さは、特定の設計基準の組を満たす任意の大きさ又は形状とされてよい。別の例として、ピローセクション２１ａ及び窪みセクション２１ｂの大きさ及び形状は、特定の設計基準の組を満たすのに及び／又は所望の美的効果を提供するのに適切な大きさ及び形状であってよい。別の例として、カバー２２ｂの種類と、カバー２２ｂの使用と、及び／又はカバー２２ｂが本体２２ａの外面を覆う程度とは、特定の設計基準を満たすため及び／又は所望の美的効果を提供するために調整されてよい。更に別の例として、ベースの脚部の長さ及び大きさは、特定の設計基準の組を満たすのに必要な任意の大きさ又は形状とすることができる。更に別の例としては、脚部は、グライド又はキャスタなどの床接触要素４ｃに接続されてよく、又はそれらの終端部が床に接触するように構成されてよい。
【００４０】
故に、プライバシースクリーン装置の特定の例示的な実施形態と、それらを作製及び使用する方法を本明細書に記載して例示したが、本発明はそれらに限定されず、特許請求の範囲内で様々に具体化されて実施されてよいことは明確に理解されるべきである。
【図１】
0006571800.tif 000002
【図２】
0006571800.tif 000003
【図３】
0006571800.tif 000004
【図４】
0006571800.tif 000005
【図５】
0006571800.tif 000006
【図６】
0006571800.tif 000007